(57)【要約】      （修正有）【課題】粒状類及び夾雑物の混合物に応じて選別筒体の傾斜角度を調節することにより粒状類の種類や内容、投入量などの仕様に対応することができ、粒状類と夾雑物の選別作業性を向上することができる粒状類粗選別機を提供する。【解決手段】設置機枠１及び、粒状類Ｋと夾雑物Ｇとに分離可能な選別筒体２を備えてなり、選別筒体２は円筒形状に形成され、選別筒体２の一方側面は粒状類及び夾雑物の混合物Ｂを投入可能な投入口Ｔに形成され、外周面には粒状類が通過可能な複数個の通口３ａをもつ選別網３が配置され、他方側面は夾雑物が排出される排出口Ｈに形成され、選別筒体２は投入口Ｔから排出口Ｈに向かう前下り状に傾設され、かつ、選別筒体２はその軸線を回転軸線として回転自在に設けられ、選別筒体２を回転させる回転機構Ｒが配設され、選別筒体２の傾斜角度を調節可能な角度調節機構Ｓを備えてなる。【選択図】図１
0003217701.tif 000002
【実用新案登録請求の範囲】
【請求項１】
設置機枠及び、粒状類と夾雑物とに分離可能な選別筒体を備えてなり、上記選別筒体は円筒形状に形成され、該選別筒体の一方側面は上記粒状類及び夾雑物の混合物を投入可能な投入口に形成され、外周面には粒状類が通過可能な複数個の通口をもつ選別網が配置され、他方側面は夾雑物が排出される排出口に形成され、該選別筒体は上記投入口から上記排出口に向かう前下り状に傾設され、かつ、該選別筒体はその軸線を回転軸線として回転自在に設けられ、該選別筒体を回転させる回転機構が配設され、該選別筒体の傾斜角度を調節可能な角度調節機構を備えてなることを特徴とする粒状類粗選別機。
【請求項２】
上記角度調節機構は、上記選別筒体の回転軸を傾動枠に配設し、該傾動枠の前側端部を該設置機枠にヒンジ部により枢着し、該傾動枠の後方端部と該設置機枠との間に螺子構造の伸縮機構を架設してなることを特徴とする請求項１記載の粒状類粗選別機。
【請求項３】
上記選別網の通口を通過した粒状類を収容する粒状類収容部及び上記選別筒体の排出口から排出される夾雑物を収容する夾雑物収容部を配設してなることを特徴とする請求項１又は２記載の粒状類粗選別機。
【請求項４】
上記選別筒体の下方に上記粒状類を上記粒状類収容部に落送可能な粒状類集送部を配置すると共に上記夾雑物を上記夾雑物収容部に落送可能な夾雑物集送部を配設してなることを特徴とする請求項１〜３のいずれか１項に記載の粒状類粗選別機。
【考案の詳細な説明】
【技術分野】
【０００１】
本考案は例えば、コンバイン等により刈り取り脱穀された大豆等の豆類、麦、稗、粟、ごま、菜種等の粒状類及び莢、枝葉、穂、菜種皮等の夾雑物の混合物を投入して本選別の前に予め可及的にそれら夾雑物を分離除去する際に用いられる粒状類粗選別機に関するものである。
【背景技術】
【０００２】
この種の粒状類粗選別機として、設置機枠と、粒状類と夾雑物とに分離可能な選別筒体とを備えてなる構造のものが知られている。
【０００３】
しかして、コンバイン等により刈り取り脱穀された大豆等の粒状類及び莢、枝葉等の夾雑物の混合物を選別筒体内に投入口から投入し、傾設された選別筒体の回転により粒状類は選別網の複数個の通口から通過して落下し、一方、夾雑物は排出口から排出され、この選別により夾雑物を選別除去することになる。
【先行技術文献】
【特許文献】
【０００４】
【特許文献１】実開昭５７−１２２７３号公報
【考案の概要】
【考案が解決しようとする課題】
【０００５】
しかしながらこれら従来構造の場合、上記投入口から上記排出口に向かう前下り状に傾設された選別筒体の傾斜角度を調節することができない構造であり、このため、選別筒体内における大豆等の粒状類及び莢、枝葉等の夾雑物の混合物の回転流下作用を粒状類の種類や、内容、投入量などの仕様に対応することができず、粒状類と夾雑物の選別作業性を低下させることがあるという不都合を有している。
【課題を解決するための手段】
【０００６】
本考案はこれらの不都合を解決することを目的とするもので、本考案のうちで、請求項１記載の考案は、設置機枠及び、粒状類と夾雑物とに分離可能な選別筒体を備えてなり、上記選別筒体は円筒形状に形成され、該選別筒体の一方側面は上記粒状類及び夾雑物の混合物を投入可能な投入口に形成され、外周面には粒状類が通過可能な複数個の通口をもつ選別網が配置され、他方側面は夾雑物が排出される排出口に形成され、該選別筒体は上記投入口から上記排出口に向かう前下り状に傾設され、かつ、該選別筒体はその軸線を回転軸線として回転自在に設けられ、該選別筒体を回転させる回転機構が配設され、該選別筒体の傾斜角度を調節可能な角度調節機構を備えてなることを特徴とする粒状類粗選別機にある。
【０００７】
又、請求項２記載の考案は、上記角度調節機構は、上記選別筒体の回転軸を傾動枠に配設し、該傾動枠の前側端部を該設置機枠にヒンジ部により枢着し、該傾動枠の後方端部と該設置機枠との間に螺子構造の伸縮機構を架設してなることを特徴とするものであり、又、請求項３記載の考案は、上記選別網の通口を通過した粒状類を収容する粒状類収容部及び上記選別筒体の排出口から排出される夾雑物を収容する夾雑物収容部を配設してなることを特徴とするものであり、又、請求項４記載の考案は、上記選別筒体の下方に上記粒状類を上記粒状類収容部に落送可能な粒状類集送部を配置すると共に上記夾雑物を上記夾雑物収容部に落送可能な夾雑物集送部を配設してなることを特徴とするものである。
【考案の効果】
【０００８】
本考案は上述の如く、請求項１記載の考案にあっては、円筒形状に形成された選別筒体は回転機構により傾斜状態で回転し、選別筒体の一方側面の投入口から選別筒体内に粒状類及び夾雑物の混合物を投入し、選別筒体内に投入された混合物は選別筒体の前下がり状の傾斜及び回転により回転流下し、この作用により粒状類は選別網の複数個の通口から通過して落下すると共に通過しない夾雑物は上記選別筒体の排出口から排出され、これにより粒状類と夾雑物とを粗選別することができ、夾雑物を選別除去することができ、この際、上記選別筒体の傾斜角度を調節可能な角度調節機構を備えているから、粒状類及び夾雑物の混合物に応じて選別筒体の傾斜角度を調節することにより粒状類の種類や内容、投入量などの仕様に対応することができ、粒状類と夾雑物の選別作業性を向上することができる。
【０００９】
又、請求項２記載の考案にあっては、上記角度調節機構は、上記選別筒体の回転軸を傾動枠に配設し、傾動枠の前側端部を設置機枠にヒンジ部により枢着し、傾動枠の後方端部と設置機枠との間に螺子構造の伸縮機構を架設してなるから、角度調節機構の構造を簡素化することができ、又、請求項３記載の考案にあっては、上記選別網の通口を通過した粒状類を収容する粒状類収容部及び上記選別筒体の排出口から排出される夾雑物を収容する夾雑物収容部を配設してなるから、粒状類及び夾雑物の選別除去を良好に行うことができ、又、請求項４記載の考案にあっては、上記選別筒体の下方に粒状類を上記粒状類収容部に落送可能な粒状類集送部を配置すると共に上記夾雑物を上記夾雑物収容部に落送可能な夾雑物集送部を配設してなるから、粒状類及び夾雑物の選別除去作業性を向上することができる。
【図面の簡単な説明】
【００１０】
【図１】本考案の実施の形態例の正断面図である。
【図２】本考案の実施の形態例の部分断面図である。
【図３】本考案の実施の形態例の全体平面図である。
【図４】本考案の実施の形態例の部分側断面図である。
【図５】本考案の実施の形態例の部分側断面図である。
【考案を実施するための形態】
【００１１】
図１乃至図５は本考案の実施の形態例を示し、この場合、粒状類Ｋとしての大豆と莢、枝葉等の夾雑物Ｇとの粗選別に適用され、１は設置機枠、２は選別筒体であって、選別筒体２は粒状類Ｋと夾雑物Ｇとに分離可能に形成され、この場合、図１、図２の如く、選別筒体２は円筒形状に形成され、選別筒体２の一方側面は粒状類Ｋ及び夾雑物Ｇの混合物Ｂを投入可能な投入口Ｔに形成され、外周面には粒状類Ｋが通過可能な複数個の通口３ａ・・をもつ選別網３が配置され、他方側面は夾雑物Ｇが排出される排出口Ｈに形成され、選別筒体２は上記投入口Ｔから上記排出口Ｈに向かう前下り状に傾設され、かつ、選別筒体２はその軸線を回転軸線Ｏとして回転自在に設けられ、選別筒体２を回転させる回転機構Ｒが配設され、選別筒体２の傾斜角度θを調節可能な角度調節機構Ｓを備えて構成している。
【００１２】
この場合、上記角度調節機構Ｓとして、図２、図３の如く、上記選別筒体２の回転軸２ａに前後複数位置に放射状に支持杆２ｂ・・を突設し、複数個の支持杆２ｂ・・の先端部間に支持枠２ｃを架設し、支持枠２ｃに粒状類Ｋが通過可能な複数個の通口３ａ・・をもつ選別網３を配置し、傾動枠４に選別筒体２の回転軸２ａの前後端部を軸受４ａ・４ａにより回転自在に軸架し、傾動枠４の前側端部を設置機枠１にヒンジ部５・５により枢着し、傾動枠４の後方端部と設置機枠１との間に螺子構造の伸縮機構６を架設し、かつ、傾動枠４の後方端部と設置機枠１との間に傾動枠４の自重を受けるダンパー機構（フリーロックガスダンパー）４ｄを架設し、この場合、伸縮機構６として、設置機枠１に軸受板１ａを突設し、傾動枠４に軸受板４ｂ及びナット４ｃを取付け、軸受板１ａに調節軸６ａの下部を挿通して調節軸６ａの上端部の螺子部６ｂを軸受板４ｂのナット４ｃに螺合し、調節軸６ａの下部のハンドル部６ｃを回動することによりナット４ｃと螺子部６ｂとの螺子作用により傾動枠４をヒンジ部５・５を支点として選別筒体２の回転軸線Ｏの傾斜角度θを調節可能に構成している。
【００１３】
又、この場合、図１の如く、上記選別網３の通口３ａを通過した粒状類Ｋを収容する粒状類収容部７及び上記選別筒体２の排出口Ｈから排出される夾雑物Ｇを収容する夾雑物収容部８を配設し、上記選別筒体２の下方に上記粒状類Ｋを上記粒状類収容部７に落送可能な粒状類集送部９を配置すると共に上記夾雑物Ｇを上記夾雑物収容部８に落送可能な夾雑物集送部１０を配設して構成している。
【００１４】
又、この場合、選別筒体２を回転させる回転機構Ｒとして、図１、図２の如く、上記傾動枠４にモータＭを配置し、モータＭの主軸Ｍ１と上記選別筒体２の回転軸２ａとの間にベルト伝動機構Ｄを架設し、モータＭの回転により回転軸２ａを回転し、選別筒体２の軸線を回転軸線Ｏとして回転させるように構成している。
【００１５】
この実施の形態例は上記構成であるから、図１の如く、円筒形状に形成された選別筒体２を回転機構Ｒにより傾斜状態で回転し、選別筒体２の一方側面の投入口Ｔから図示省略の導入筒等により選別筒体２内に粒状類Ｋ及び夾雑物Ｇの混合物Ｂを投入し、選別筒体２内に投入された混合物Ｂは選別筒体２の前下がり状の傾斜及び回転により回転流下し、図１、図５の如く、この作用により粒状類Ｋは選別網３の複数個の通口３ａ・・から通過して落下すると共に通過しない夾雑物Ｇは上記選別筒体２の排出口Ｈから排出され、これにより粒状類Ｋと夾雑物Ｇとを粗選別することができ、夾雑物Ｇを選別除去することができる。
【００１６】
この際、図１、図２の如く、上記選別筒体２の傾斜角度θを調節可能な角度調節機構Ｓを備えているから、粒状類Ｋ及び夾雑物Ｇの混合物Ｂに応じて選別筒体２の傾斜角度θを調節することにより粒状類Ｋの種類や内容、投入量などの仕様に対応することができ、粒状類Ｋと夾雑物Ｇの選別作業性を向上することができる。
【００１７】
この場合、上記角度調節機構Ｓは、図１の如く、上記選別筒体２の回転軸２ａを傾動枠４に配設し、傾動枠４の前側端部を設置機枠１にヒンジ部５により枢着し、傾動枠４の後方端部と設置機枠１との間に螺子構造の伸縮機構６を架設してなるから、角度調節機構Ｓの構造を簡素化することができ、かつ、この場合、図１の如く、上記選別網３の通口３ａを通過した粒状類Ｋを収容する粒状類収容部７及び上記選別筒体２の排出口Ｈから排出される夾雑物Ｇを収容する夾雑物収容部８を配設してなるから、粒状類Ｋ及び夾雑物Ｇの選別除去を良好に行うことができ、更に、この場合、図１の如く、上記選別筒体２の下方に上記粒状類Ｋを上記粒状類収容部７に落送可能な粒状類集送部９を配置すると共に上記夾雑物Ｇを上記夾雑物収容部８に落送可能な夾雑物集送部１０を配設してなるから、粒状類Ｋ及び夾雑物Ｇの選別除去作業性を向上することができる。
【００１８】
尚、本考案は上記実施の形態例に限られるものではなく、設置機枠１、選別筒体２の構造等は適宜変更して設計されるものである。
【００１９】
又、上記実施の形態例においては、粒状類Ｋとしての大豆と莢、枝葉等の夾雑物Ｇとの粗選別に適用さているが、麦、稗、粟、ごま、菜種等の粒状類と莢、枝葉、穂、菜種皮等の夾雑物との粗選別に適用することもある。
【００２０】
以上、所期の目的を充分達成することができる。
【符号の説明】
【００２１】
Ｋ    粒状類
Ｇ    夾雑物
Ｂ    混合物
Ｔ    投入口
Ｈ    排出口
Ｏ    回転軸線
Ｒ    回転機構
θ    傾斜角度
Ｓ    角度調節機構
１    設置機枠
２    選別筒体
２ａ    回転軸
３    選別網
３ａ    通口
４    傾動枠
５    ヒンジ部
６    伸縮機構
７    粒状類収容部
８    夾雑物収容部
９    粒状類集送部
１０    夾雑物集送部
【図１】
0003217701.tif 000003
【図２】
0003217701.tif 000004
【図３】
0003217701.tif 000005
【図４】
0003217701.tif 000006
【図５】
0003217701.tif 000007
【手続補正書】
【提出日】平成30年6月21日(2018.6.21)
【手続補正１】
【補正対象書類名】実用新案登録請求の範囲
【補正対象項目名】全文
【補正方法】変更
【補正の内容】
【実用新案登録請求の範囲】
【請求項１】
設置機枠及び、粒状類と夾雑物とに分離可能な選別筒体を備えてなり、上記選別筒体は円筒形状に形成され、該選別筒体の一方側面は上記粒状類及び夾雑物の混合物を投入可能な投入口に形成され、外周面には粒状類が通過可能な複数個の通口をもつ選別網が配置され、他方側面は夾雑物が排出される排出口に形成され、該選別筒体は上記投入口から上記排出口に向かう前下り状に傾設され、かつ、該選別筒体はその軸線を回転軸線として回転自在に設けられ、該選別筒体を回転させる回転機構が配設され、該選別筒体の傾斜角度を調節可能な角度調節機構を備えてなることを特徴とする粒状類粗選別機。
【請求項２】
上記角度調節機構は、上記選別筒体の回転軸を傾動枠に配設し、該傾動枠の前側端部を該設置機枠にヒンジ部により枢着し、該傾動枠の後方端部と該設置機枠との間に螺子構造の伸縮機構を架設してなることを特徴とする請求項１記載の粒状類粗選別機。
【請求項３】
上記選別網の通口を通過した粒状類を収容する粒状類収容部及び上記選別筒体の排出口から排出される夾雑物を収容する夾雑物収容部を配設してなることを特徴とする請求項１又は２記載の粒状類粗選別機。
【請求項４】
上記選別筒体の下方に上記粒状類を上記粒状類収容部に落送可能な粒状類集送部を配置すると共に上記夾雑物を上記夾雑物収容部に落送可能な夾雑物集送部を配設してなることを特徴とする請求項３記載の粒状類粗選別機。